(57)【要約】      （修正有）【課題】肢体の不自由な人の行動範囲を広げる為には介助車で外出する時トイレの問題が発生する。この問題を支援出来る簡単トイレつき折りたたみ式介助車を得る。【解決手段】折りたたみ式介助車１にトイレ機能として、便座台、便座枠３、汚物入れ、不透明ビニール袋を取り付け外部から見えないようにカーテンレール９とカーテン１０を付け外出中何処ででも用便が出来るようにする。また汚物入れが簡単に交換出来る様に便座台ユニットを付けた折りたたみ式介助車もある。【選択図】  図６
2006061651.tif 000002
【特許請求の範囲】
【請求項１】
折りたたみ介助車の座る部分に逆台形の便座枠３を便座台２に取付け、下部を不透明なカバー６で覆い、便座枠の上に開閉できる椅子座７を取付けた事を特徴とする簡単トイレつき折りたたみ介助車。〔図１〕〜〔図３〕参照
【請求項２】
請求項１の介助車に可動型伸縮カーテンレール９を付け、このカーテンレールは、左右別々又は接続してカーテン１０で周囲と上部とを覆い被介護者を隠す事を特徴とする簡単トイレつき折りたたみ介助車。〔図５〕〜〔図１０〕参照
【請求項３】
請求項１と請求項２の機能を搭載したまま、何も外さず折りたためる事を特徴とする簡単トイレつき折りたたみ介助車。〔図７〕参照
【請求項４】
請求項１、〔図２〕の部分を１つの便座台ユニットとし介助車に便座台ユニット用のレール１９を取付け、介助車の後方から便座台ユニット２０を出し入れし被介護者が座ったまま汚物入れの交換が出来る事を特徴とする簡単トイレつき折りたたみ介助車。〔図１１〕〜〔図１３〕参照
【発明の詳細な説明】
【技術分野】
【０００１】  本発明は、日常使用している折りたたみ介助車の椅子座部分に便座台、便座枠を取り付け、椅子座を開閉可能にし、トイレ機能を設け、排泄行為中は周囲から見えない様カーテンを付け、何処でもトイレとして使用可能にした折りたたみ式介助車用簡単トイレに関するものである。
【背景技術】
【０００２】  従来は、車椅子とトイレの関係は、ほとんど車椅子の座部分に穴を開け、車椅子を洋式トイレの上迄移動して排泄するものであった。
この様な形だと必ず洋式トイレがないと使えない。またトイレの中が広くないと使えない等問題が多かった。またポータブルトイレをそのまま車椅子に乗せて普段は蓋の上へ座る、と言う物や便座を二つに割って折りたためるようにした物もある。【０００３】  しかし排泄行為をする時は、人のプライバシーもあり見た目何処でもと言う事はない、また、形も大きく重量もあり簡単に乗用車のトランクに入るような物ではなかった。
【特許文献１】特開平１１−１９２２６５
【特許文献２】特開２００２−５０２０４５
【特許文献３】特開２０００−０６０９０３
【特許文献４】特開平８−３０８８７８
【特許文献５】特開２０００−１４００３２
【特許文献６】特開２００３−３１９９７５
【特許文献７】特開２００２−１７７３３２
【特許文献８】特開２００１−１９０５９９
【発明の開示】
【発明が解決しようとする課題】
【０００４】  解決しようとする問題点は、麻痺等で身体の不自由な人達やご老人の人達は外出する時は、介助の人手が必要になる。その介助をする人が一番心配で不安なことは、患者の排泄行為である。外出チャンスの少ない患者やご老人が、空気環境の良い郊外や公園、山中のキャンプ等に出かけた時は、本人及び介護人は、人一倍の神経と労力を使う、また人目を気にしながらの排泄行為は、なかなかできるものではない。
本人及び介護人にとっても多大なストレスを生じさせるものである。本発明は、このような問題を解決するためになされたものである。
【課題を解決するための手段】
【０００５】  本発明は、日常使用している介助車の椅子座の下部分に便座と紙パンツＬ（紙パンツとは、市販品にある製品で脚の出る部分をクラフトテープ等で塞いで使用できる。）又は汚物入れを取り付け、椅子座は自在に開閉できて、簡単にトイレの機能を満たすようにしたトイレ機能付き介助車に関するものである。折りたたみ式介助車の椅子座の部分〔図２〕〔図６〕の便座台２に便座枠３を取り付け椅子座７は、開閉自在とし通常は蓋と椅子の両役を果す、便座枠は逆円錐形に加工し汚物入れや紙パンツのゴム（ギャザー）の部分がしっかり食い込んで外れないようにする。また便座枠には汚物入れや紙パンツが簡単に取り付けられるように引掛け棒〔図４〕４を付けた。これにより簡単に汚物入れや紙パンツをセットする事が出来る。また介助車の取っ手〔図５〕１７にカーテンレール９を取り付けカーテン１０を引く、これもトイレ使用時以外には折りたたむ事が出来る。また、便座枠３に紙オムツ又は汚物入れ５をセットしたまま介助車を折りたたむ事が出来る。又〔図１１〕の様にこの部分を２１のユニット化し、引き出し構造にすると被介護者が椅子座に座ったまま汚物入れの交換が可能であり被介護者の負担が軽くなる。
本発明は以上の構成よりなる簡単トイレ付き折りたたみ介助車である。
この簡単トイレ機能付き折りたたみ介助車は、前出の〔特開２００２−１７７３３２〕のように折りたたむ時、便座を外したりする事なく、何も外さず折りたたんで乗用車のトランクに入れて運ぶ事が出来る。
【発明の効果】
【０００６】  本発明品を使用する事により、トイレが心配で家庭室内のみで生活されている人や養護施設での室内生活者が屋外生活を楽しむ事が出来、郊外や公園でこの介助車を使用すれば介護者、非介護者共に負担の軽減と排泄ストレスから開放され生活の質を向上すると共に毎日を楽しく暮らす事が出来る。またこの簡単トイレ付き折りたたみ介助車は、一般の人でも緊急避難時における排泄の問題を取り除く事が出来る。（紙オムツ、紙パンツ関連は可燃ごみとして処理できるからである。）
【発明を実施するための最良の形態】
【０００７】  以下、本発明を実施する為の最良の形態を説明する。図１を以って説明すると本発明は折りたたみ式介助車１の座る部分に椅子座７と一般洋式トイレに使用されている物と同形の便座枠３を便座台２に取り付けたものとの両方を備え、便座台及び便座枠を土台として使用し、椅子座は蝶番８を使用し上下自在に動く、便座枠は固定にし、その下部には、箱の形をした不透明厚手ビニール袋６を取り付け、便座に直接付ける、紙パンツ及び汚物入れ５に重量負担をかけない事と見た目を良くしたものである。この便座枠は、平面ではなく厚さがありその便座枠の周囲は逆円錐形にして紙パンツ又は汚物入れの伸縮部分が食い込んで自然に外れないようにした。また紙パンツ又は汚物入れが取り付け易いように引掛け棒（図４−１）４を付けた。この引掛け棒に紙パンツ又は汚物入れの一端を最初に引掛け周囲を掛けていく、一周掛けるとすっぽりかぶってしまい簡単に外れないが指等で摘んで引っ張ると簡単に外す事が出来る。用便をする時はこの紙パンツ又は汚物入れをセットしてから行なう。セット方法は（図４−２・４）のＡ〜Ｄの順序で行う。Ｅは外す時である。前もってセットしておけばいつでも〔図５〜６〕７の椅子座を上げてゴムバンド１８で固定して便座に座るだけで用便をする事が出来る。
またプライバシーを保護する為、用便時は、介助車の周囲をカーテン〔図６〕１０で囲み非介護者Ｘの胸から下が見えないようにした〔図１０〕参照。カーテンレール９は、介助車の取手部１７に回転軸１１を取り付けカーテンレール９を取り付ける。このカーテンレールは、〔図５〕Ｆの部分が伸縮できるようになっており被介護者Ｘの体型及び折りたたんで運ぶ時に小さくまとまるようにした〔図７〕の右側に垂直にたたまれる。使用する時は、〔図７〕のＩの矢印の方向に回転すると、〔図６〕及び〔図１０〕の側面図にあるようにカーテンレール９は、ストッパー１２により水平に保たれる、この時カーテン１０は、収納ＢＯＸ１３にある。〔図５〕参照一部はカーテンレール９につながっている、カーテン１０を張るためには、カーテンレール９を水平に保った後収納ＢＯＸからカーテン１０を取り出しカーテンレール９に張る、この時カーテンの上部１０−２の１／２左側は側面上部に縫い付け、右側１／２はカーテン吊で簡単に引っ掛ける。
カーテン１０の張り方のもう一つの方法は、用便の支度をする時介護人Ｙが必要な時は、〔図８〕のようにカーテンレールを左右に切り離し（９−１）と（９−２）にする、（９−１）側にカーテン１０をまとめておきカーテンレール（９−１）を水平に保った後収納ＢＯＸ１３からカーテン１０を取り出しカーテンレール（９−１）に張る、この状態で左側と前側はカーテンで隠れた状態になっている。ここで介護者Ｙは被介護者Ｘの用便の支度を整える。次にカーテンレール（９−２）を水平にして（９−１）のＺ部を簡単に接続する、カーテン１０はＺ部を通して（９−２）の末端まで張る。
〔図９〕は上面図〔図１０〕は側面図で用便中を示す。用便後は逆の順番でカーテンを収納ＢＯＸ１３へ収納する。
【実施例１】
【０００８】本人（被介護者）が多少立ち歩きの出来る患者の場合
〔図１〕〜〔図４〕は、本発明の簡単トイレ機能部分を示す。
〔図１〕〔図２〕は、便座台２に便座枠３を取り付け、介護車１の椅子座の部分に取り付ける。また椅子座７は蝶番８を使い介護車１に取り付ける、椅子座７は、開閉自在になり、通常の移動は、便座枠３の蓋の役目をし、その上に座って使う事になる。用便をする時は、椅子座の先端を持ち上げ〔図６〕のゴムバンド１８で固定する。次に〔図４〕の（図４−１）〜（図４−４）を説明する。（図４−３）の便座枠３に紙パンツ又は汚物入れ５を便座枠３の中（図４−４）のＥからＡ方向へ入れながら紙パンツ又は汚物入れ５の伸縮部分を便座枠３の４の引っ掛け棒に掛け次に（図４−２）に示すようにＢ−Ｃ−Ｄの順に便座枠の周囲全体に掛ける。これで汚物入れは固定される。カーテンレール９を持ち上げ平行に倒しカーテン１０を引き用便の支度をして便座枠３に座って用便をする。用便が済んだら支度を戻し、便座枠３から汚物入れ５を取り出し、丸めてマジックテープでとめる。カーテン１０を開けカーテンレール９を介護車の後ろ側へ倒しレール止め１６で固定しカーテンは収納ＢＯＸ１３の中へ入れる、このときカーテンレールからは外さず一部カーテン止め部分はレールに付けたままにする。使用済み汚物入れはビニール袋に入れ物入れに入れて持ち帰る。車で遠出の場合〔図７〕の様に折りたたんで乗用車のトランクに入れて運ぶことが出来る。
【実施例２】
【０００９】本人（被介護者）が座ったきりだが短時間なら立っていられる患者の場合
介護人が必要になり、まず介護車に汚物入れをセットしておき、椅子座を便座枠の上に倒し被介護者を乗せる、散歩の途中で便意をもようした時は、〔図８〕に示す介護人がカーテンレール９をレール止め〔図１０〕１６から外し片側のカーテンレール（９−１）を前側へ水平になるまで回転させ必要であればＦの部分を伸ばしカーテン１０を収納ＢＯＸ１３から取り出しＺのところまで引き左側と前側が隠れる状態にする。介護人は被介護者に用便の支度の手伝いをする、支度が整ったらカーテンレール（９−２）を持ち上げて前側へ水平になるまで回転させ必要であればＦの部分を伸ばし〔図９〕のＺの部分を接続しカーテン１０をカーテンレール（９−２）の最後部まで引き被介護者が隠れるようにする。これで落ち着いて用便が出来る。用便が済んだらカーテン１０をカーテンレール（９−２）のみ開けカーテンレールのＦの部分を縮めて回転させ〔図７〕の様に後方に垂直に固定する。被介護者の支度を元に戻し、汚物入れを処理し、椅子座７を下げて被介護者を座らせる。それからカーテン１０をカーテンレール（９−１）の元まで戻し、カーテンレール（９−１）を縮めて回転させ〔図７〕の様に後方に垂直に固定する。次にカーテン１０を収納ＢＯＸ１３へしまい込み、使用済みの汚物入れもビニール袋に入れ収納ＢＯＸに入れて持ち帰る。車で遠出の場合〔図７〕の様に折りたたんで乗用車のトランクに入れて運ぶことが出来る。
【実施例３】
【００１０】本人（被介護者）が座ったきりで殆ど立っている事が出来ない患者の場合
介護人が必要であるが、〔図１１〕〜〔図１３〕のような便座の部分が引き出しタイプのものを使用する。これは紙パンツ又は汚物入れの部分は、本人（被介護者）が座ったままで、介護車１の後方から出し入れが出来る為、本人（被介護者）は用便の支度（椅子座の上げ下ろし）時のみ立ち上がる必要があるが他は座ったままで用事を済ませることが出来る。
【実施例２】と
【実施例３】との違いは被介護者が座ったままで紙パンツ又は汚物入れの交換が出来ることである、手順としては、〔図１１〕〜〔図１３〕の２０は便座台、便座枠、不透明厚手ビニール袋と、引き出し取っ手が一つの便座ユニットとして製作してある。これを介護人が介護車１の後方から引き出して紙パンツ又は汚物入れのセットをしておく、また、用便終了後も本人（被介護者）は椅子座７に座ったままで良く、介助人は、便座ユニット２０の取っ手２１を持って引き出し紙パンツ又は汚物入れを交換し、また差し込んでおけばいつでもトイレとして使用する事が出来る。その他カーテン等のセットの方法は、
【実施例２】と
【実施例３】と同じなので省略する。
【図面の簡単な説明】
【００１１】
【図１】便座台に便座枠を付け紙パンツ又は汚物入れを装着した図。
【図２】 
【図１】に不透明隠し袋を付けた図  上部には椅子座を開閉した図。
【図３】介助車本体に開閉椅子座と便座を取り付けたところ。
【図４】便座枠、便座台、と汚物入れのセット方法。
【図５】介助車本体にカーテンレールを取り付けた上面図。
【図６】介助車本体の周囲をカーテンで廻らせた側面図。
【図７】介助車本体を折りたたんだ側面図。
【図８】介助車本体をカーテンで半分を覆い用便の支度を介護人Ｙが手助けをしているところ、上面図。
【図９】介助車本体をカーテンで全部覆い用便をしているところ、上面図。
【図１０】 
【図９】の側面図
【図１１】引き出し式の便座ユニットの出し入れを上面から見た図面。
【図１２】 
【図１１】の側面図。
【図１２】 
【図１２】の後方より見た図。
【符号の説明】
【００１２】  １．折りたたみ式介助車本体
２．便座台
３．便座枠
４．汚物入れ引っ掛け棒（便座枠）
５．汚物入れ
６．不透明ビニール袋
７．開閉自在椅子座
８．開閉用蝶番
９．カーテンレール  分割の場合９−１（左）と９−２  （右）になる。
１０．カーテン  上部覆いは、１０−２とする
１１．カーテンレール止め軸
１２．カーテンレールストッパー
１３．収納ＢＯＸ（カーテン、紙パンツ、汚物入れ等）
１４．介助車後輪
１５．介助車前輪
１６．カーテンレール止め金具
１７．介助車取っ手
１８．椅子座止めバンド
１９．便座台用スライドレール
２０．便座台ユニット
２１．便座台取っ手
２２．便座台ストッパー
【図１】
2006061651.tif 000003
【図４】
2006061651.tif 000004
【図５】
2006061651.tif 000005
【図７】
2006061651.tif 000006
【図８】
2006061651.tif 000007
【図１０】
2006061651.tif 000008
【図１１】
2006061651.tif 000009
【図１２】
2006061651.tif 000010
【図１３】
2006061651.tif 000011
【手続補正書】
【提出日】平成16年10月18日(2004.10.18)
【手続補正１】
【補正対象書類名】明細書
【補正対象項目名】００１１
【補正方法】変更
【補正の内容】
【００１１】
【図１】便座台に便座枠を取り付け、汚物入れを装着した側面図である。
【図２】図１に不透明ビニール袋を取り付けた側面図である。
【図３】介助車本体に開閉椅子座と便座を取り付けた斜視図である。
【図４】便座枠、便座台と汚物入れのセット方法の図である。
【図５】介助車本体にカーテンレールを取り付けた上面図である．
【図６】介助車本体の周囲をカーテンで廻らせた側面図である。
【図７】介助車本体を折りたたんだ側面図である。
【図８】介助車本体をカーテンで半分を覆い用便の支度を介護人Ｙが手助けをしているところの上面図である。
【図９】介助車本体をカーテンで全部覆い用便をしているところの上面図である。
【図１０】図９の側面図である。
【図１１】引き出し式の便座ユニットの出し入れを上面から見た図面である。
【図１２】図１１の側面図である。
【図１３】図１２の後方より見た図である。
【手続補正２】
【補正対象書類名】図面
【補正対象項目名】全図
【補正方法】変更
【補正の内容】
【書類名】図面    【図１】2006061651.tif 000012
【図２】2006061651.tif 000013
【図３】2006061651.tif 000014
【図４】2006061651.tif 000015
【図５】2006061651.tif 000016
【図６】2006061651.tif 000017
【図７】2006061651.tif 000018
【図８】2006061651.tif 000019
【図９】2006061651.tif 000020
【図１０】2006061651.tif 000021
【図１１】2006061651.tif 000022
【図１２】2006061651.tif 000023
【図１３】2006061651.tif 000024